(57)【要約】【課題】システムの大型化及び高額化を招くことなく、複数系列の画像及び音声を含む映像コンテンツを出力し、複数系列のうちから設定した系列に対応する画像及び音声を視聴することが可能な視聴システム、表示装置及び視聴用装置を提供する。【解決手段】表示装置は、複数系列の画像を時分割で順次表示させ、複数系列の画像に夫々対応する複数系列の音声データに同期データを付加して出力する。視聴用装置は、表示装置に表示された複数系列の画像のうちで、設定されている系列の画像を選択的に透過させると共に、表示装置から出力された音声データのうちで、設定されている系列の音声データに基づく音声を出力する。【選択図】図３
2012119776.tif 000002
【特許請求の範囲】
【請求項１】
多重化された複数系列の画像データに基づいて複数系列の画像を表示する表示装置と、該表示装置に表示された画像の視認に用いる視聴用装置とを備える視聴システムにおいて、
前記表示装置は、
複数系列の画像データに夫々対応する画像を、順次表示させるべく時分割多重する多重化部と、
前記複数系列の画像データに夫々対応する複数系列の音声データを、時分割多重した画像データに対応させるべく、夫々圧縮して圧縮音声データを生成する音声圧縮部と、
該音声圧縮部が生成した圧縮音声データに、画像データとの同期をとる同期データを付加する同期部と、
同期データを付加した圧縮音声データに基づく信号を出力する出力部と
を備え、
前記視聴用装置は、
前記表示装置に表示された複数系列の画像のうちで、設定されている系列の画像を選択的に透過させる透過部と、
前記出力部からの出力を、圧縮音声データの入力として受け付ける入力部と、
該入力部から入力された圧縮音声データを伸長して、設定されている系列の音声データを生成する伸長部と、
生成した音声データに基づいて、設定されている系列の音声を出力する音声出力部と
を備え、
前記透過部及び音声出力部は、圧縮音声データに付加されていた同期データに基づいて、設定された系列の画像の透過及び音声の出力をするようにしてある
ことを特徴とする視聴システム。
【請求項２】
前記出力部は、赤外線にて前記信号を出力するようにしてあり、
前記入力部は、赤外線を受け付けるようにしてある
ことを特徴とする請求項１に記載の視聴システム。
【請求項３】
前記表示装置は、
画像表示に要する液晶部及び該液晶部に対して光を照射するＬＥＤを用いた光源と、
該光源を駆動する駆動部と
を更に備えることを特徴とする請求項１又は２に記載の視聴システム。
【請求項４】
前記表示装置は、
画像表示に要する液晶部及び該液晶部に対して光を照射する光源と、
該光源を駆動する駆動部と
を更に備え、
前記出力部は、一の画像を表示後、次の画像を表示するまでの間に前記信号を出力するようにしてあり、
前記駆動部は、前記出力部から出力される前記信号に基づいて前記光源を駆動するようにしてあり、
前記入力部は、前記出力部からの出力に基づいて駆動する光源からの照射光を、圧縮音声データの入力として受け付けるようにしてある
ことを特徴とする請求項１に記載の視聴システム。
【請求項５】
一の画像の表示を終了してから所定期間経過後、前記出力部が前記信号の出力を開始するようにしてあり、
前記出力部が前記信号の出力を終了してから所定期間経過後、他の画像の表示を開始するようにしてある
ことを特徴とする請求項４に記載の視聴システム。
【請求項６】
前記光源は、ＬＥＤを用いた光源であることを特徴とする請求項４又は５に記載の視聴システム。
【請求項７】
前記表示装置は、画像の系列数に基づいて、駆動部により駆動する光源からの照射量を決定するようにしてあることを特徴とする請求項３から６のいずれか一つに記載の視聴システム。
【請求項８】
前記視聴用装置は、
入力された圧縮音声データを伸長して生成した音声データを、一時的に記録する一時記録部を更に備え、
前記音声出力部は、前記一時記録部に記録された音声データに基づき、画像に同期させて音声を出力するようにしてある
ことを特徴とする請求項１から７のいずれか一つに記載の視聴システム。
【請求項９】
前記視聴用装置は、
複数系列のうちから系列の選択を受け付ける選択部と、
選択された系列を設定する設定記録部と
を更に備えることを特徴とする請求項１から８のいずれか一つに記載の視聴システム。
【請求項１０】
多重化された複数系列の画像データに基づいて複数系列の画像を表示する表示装置において、
複数系列の画像データに夫々対応する画像を、順次表示させるべく時分割多重する多重化部と、
前記複数系列の画像データに夫々対応する複数系列の音声データを、時分割多重した画像データに対応させるべく、夫々圧縮して圧縮音声データを生成する音声圧縮部と、
該音声圧縮部が生成した圧縮音声データに、画像データとの同期をとる同期データを付加する同期部と、
同期データを付加した圧縮音声データに基づく信号を出力する出力部と
を備えることを特徴とする表示装置。
【請求項１１】
画像表示に要する液晶部及び該液晶部に対して光を照射する光源と、
該光源を駆動する駆動部と
を更に備え、
前記出力部は、一の画像を表示後、次の画像を表示するまでの間に前記信号を出力するようにしてあり、
前記駆動部は、前記出力部から出力される前記信号に基づいて前記光源を駆動するようにしてある
ことを特徴とする請求項１０に記載の表示装置。
【請求項１２】
多重化された複数系列の画像データに基づいて複数系列の画像を表示する表示装置に表示された画像の視認に用いる視聴用装置において、
前記表示装置に表示された複数系列の画像のうちで、設定されている系列の画像を選択的に透過させる透過部と、
前記複数の画像データに夫々対応する複数系列の音声データを夫々圧縮し、画像データとの同期をとる同期データを付加した圧縮音声データの入力を受け付ける入力部と、
該入力部から入力された圧縮音声データを伸長して、設定されている系列の音声データを生成する伸長部と、
音声データに基づいて、設定されている系列の音声を出力する音声出力部と
を備え、
前記透過部及び音声出力部は、圧縮音声データに付加されていた同期データに基づいて、設定された系列の画像の透過及び音声の出力をするようにしてある
ことを特徴とする視聴用装置。
【請求項１３】
前記入力部は、前記表示装置が、一の画像を表示後、次の画像を表示するまでの間に、前記画像を表示する表示部から発する可視光を、圧縮音声データの入力として受け付けるようにしてあることを特徴とする請求項１２に記載の視聴用装置。
【発明の詳細な説明】
【技術分野】
【０００１】
本願は、多重化された複数系列の画像データに基づいて複数系列の画像を表示する表示装置と、該表示装置に表示された画像の視認に用いる視聴用装置とを備える視聴システム、該視聴システムにて用いられる表示装置及び視聴用装置に関する。
【背景技術】
【０００２】
多数の人間が集まる広場のような公共の場所において、多数の人間に画像及び音声を含む映像コンテンツを提供するため、大型スクリーンの設置が進められている。なお、多数の人間に複数系列の映像コンテンツを見せようとすると、映像コンテンツを映し出す数だけディスプレイ画面が必要である。このような表示装置の一つとして、大型スクリーンを分割し、複数系列の映像コンテンツを表示する多画面表示装置が知られている。
【０００３】
また、一つのディスプレイ画面を用いて異なる画像を視認させる方法として、左眼用の画像及び右眼用の画像を表示させることにより、両眼視差を利用して立体視可能な画像を表示させる方法がある。例えば、フレームシーケンシャル方式では、ディスプレイ画面に左眼用の画像及び右眼用の画像を交互に表示し、ユーザは、専用のシャッター眼鏡を装着して視認する。シャッター眼鏡は、画像に同期して動作し、左眼用の画像が表示されている時には、左眼に入る画像を透過させ右眼に入る画像をシャッター機能により遮断するようにし、右眼用の画像が表示されている時には、逆の動作をする。このようにスイッチング駆動することで、ユーザの右眼に右眼用の画像を視認させ、左眼に左眼用の画像を視認させることになるので、ユーザは画像を立体視することができる。
【０００４】
さらに、特許文献１では、一つのディスプレイ画面を用いて複数のユーザが夫々所望の画像を視認する方法として、上述のフレームシーケンシャル方式を用いた方法が開示されている。具体的には、複数の系列の画像を時分割でディスプレイ画面に表示し、各ユーザはシャッター眼鏡を装着してディスプレイ画面を視認する。シャッター眼鏡は、ユーザが指定した系列以外の画像が表示されている期間については、シャッター機能により、視界を遮断することで一つのディスプレイ画面を用いて複数のユーザが夫々所望の画像を視認することを可能にするのである。
【先行技術文献】
【特許文献】
【０００５】
【特許文献１】特開平１０−４２３１８号公報
【発明の概要】
【発明が解決しようとする課題】
【０００６】
しかしながら、大型スクリーンを分割して複数系列の映像コンテンツを表示させる方法では、表示すべき映像コンテンツの表示領域が小さくなり、各画面の大きさを維持しようとすれば、表示画面全体を大きくする必要があるため、システムの大型化及びそれに伴う高額化の問題がある。また、各画面の大きさを維持すべく複数のディスプレイ画面を設置する場合にも高額化の問題がある。
【０００７】
さらに、音声については、複数の映像コンテンツの夫々に対応する音声を出力するために複数のスピーカを設置すると、音声が聴き取りにくくなるという問題がある。このため、画像のみの提供又は主画面についてのみ音声を提供するという様な方法を取らざるを得ないという問題がある。従って、複数の映像コンテンツの夫々について音声をも提供することは困難であるという問題がある。
【０００８】
一つのディスプレイ画面に、立体視のため右眼用画像及び左眼用画像を表示する方法では、表示する画像に対応する音声は、実質的に一つであるため、音声の提供に関する問題は生じない。しかしながら、この方法を、一つの表示装置で複数系列の画像の提供に適用した場合、音声についての問題が生じることとなる。
【０００９】
特許文献１に開示された方法では、音声に関しては特に触れられていないため、複数系列の画像に夫々対応する音声を出力する際の問題は解消していない。
【００１０】
本発明は斯かる事情に鑑みてなされたものであり、システムの大型化及び高額化を抑止しながらも、複数系列の画像及び音声を提供することが可能な視聴システム、表示装置及び視聴用装置の提供を目的とする。
【課題を解決するための手段】
【００１１】
本発明に係る視聴システムは、多重化された複数系列の画像データに基づいて複数系列の画像を表示する表示装置と、該表示装置に表示された画像の視認に用いる視聴用装置とを備える視聴システムにおいて、前記表示装置は、複数系列の画像データに夫々対応する画像を、順次表示させるべく時分割多重する多重化部と、前記複数系列の画像データに夫々対応する複数系列の音声データを、時分割多重した画像データに対応させるべく、夫々圧縮して圧縮音声データを生成する音声圧縮部と、該音声圧縮部が生成した圧縮音声データに、画像データとの同期をとる同期データを付加する同期部と、同期データを付加した圧縮音声データに基づく信号を出力する出力部とを備え、前記視聴用装置は、前記表示装置に表示された複数系列の画像のうちで、設定されている系列の画像を選択的に透過させる透過部と、前記出力部からの出力を、圧縮音声データの入力として受け付ける入力部と、該入力部から入力された圧縮音声データを伸長して、設定されている系列の音声データを生成する伸長部と、生成した音声データに基づいて、設定されている系列の音声を出力する音声出力部とを備え、前記透過部及び音声出力部は、圧縮音声データに付加されていた同期データに基づいて、設定された系列の画像の透過及び音声の出力をするようにしてあることを特徴とする。
【００１２】
本発明では、一の表示装置で、複数系列の画像及び音声を提供することが可能である。
【００１３】
本発明に係る視聴システムは、前記出力部は、赤外線にて前記信号を出力するようにしてあり、前記入力部は、赤外線を受け付けるようにしてあることを特徴とする。
【００１４】
本発明では、赤外線にて信号を出力することにより、専用の視聴用装置を装備した場合に音声を聴き取ることが可能になる。
【００１５】
本発明に係る視聴システムは、前記表示装置は、画像表示に要する液晶部及び該液晶部に対して光を照射するＬＥＤを用いた光源と、該光源を駆動する駆動部とを更に備えることを特徴とする。
【００１６】
本発明では、ＬＥＤを用いた光源を使用することにより、光源の応答性を高めることが可能である。
【００１７】
本発明に係る視聴システムは、前記表示装置は、画像表示に要する液晶部及び該液晶部に対して光を照射する光源と、該光源を駆動する駆動部とを更に備え、前記出力部は、一の画像を表示後、次の画像を表示するまでの間に前記信号を出力するようにしてあり、前記駆動部は、前記出力部から出力される前記信号に基づいて前記光源を駆動するようにしてあり、前記入力部は、前記出力部からの出力に基づいて駆動する光源からの照射光を、圧縮音声データの入力として受け付けるようにしてあることを特徴とする。
【００１８】
本発明では、光源からの照射光を圧縮音声データに基づいて制御することにより、照射光により音声データの伝達を実現することが可能となる。
【００１９】
本発明に係る視聴システムは、一の画像の表示を終了してから所定期間経過後、前記出力部が前記信号の出力を開始するようにしてあり、前記出力部が前記信号の出力を終了してから所定期間経過後、他の画像の表示を開始するようにしてあることを特徴とする。
【００２０】
本発明では、透過部の透過開始時及び終了時に、ユーザが視認する画像に圧縮音声データに基づいて制御された照射光が混じらないようにすることが可能である。
【００２１】
本発明に係る視聴システムは、前記光源は、ＬＥＤを用いた光源であることを特徴とする。
【００２２】
本発明では、ＬＥＤを用いた光源を使用することにより、光源の応答性を高めることが可能であり、一の画像系列に係る照射光の明滅の残光が、他の画像系列に係る照射光に影響を与えることを防止することが可能である。
【００２３】
本発明に係る視聴システムは、前記表示装置は、画像の系列数に基づいて、駆動部により駆動する光源からの照射量を決定するようにしてあることを特徴とする。
【００２４】
本発明では、系列数の増加に応じて照射量が高くなるように決定することが可能である。
【００２５】
本発明に係る視聴システムは、前記視聴用装置は、入力された圧縮音声データを伸長して生成した音声データを、一時的に記録する一時記録部を更に備え、前記音声出力部は、前記一時記録部に記録された音声データに基づき、画像に同期させて音声を出力するようにしてあることを特徴とする。
【００２６】
本発明では、音声データを一時記録部に記録しておき、画像に同期して音声を出力することが可能となる。
【００２７】
本発明に係る視聴システムは、前記視聴用装置は、複数系列のうちから系列の選択を受け付ける選択部と、選択された系列を設定する設定記録部とを更に備えることを特徴とする。
【００２８】
本発明では、設定した系列の画像及び音声を選択的に出力することが可能である。
【００２９】
本発明に係る表示装置は、多重化された複数系列の画像データに基づいて複数系列の画像を表示する表示装置において、複数系列の画像データに夫々対応する画像を、順次表示させるべく時分割多重する多重化部と、前記複数系列の画像データに夫々対応する複数系列の音声データを、時分割多重した画像データに対応させるべく、夫々圧縮して圧縮音声データを生成する音声圧縮部と、該音声圧縮部が生成した圧縮音声データに、画像データとの同期をとる同期データを付加する同期部と、同期データを付加した圧縮音声データに基づく信号を出力する出力部とを備えることを特徴とする。
【００３０】
本発明では、一の表示装置に、複数系列の画像及び音声を出力させることが可能である。
【００３１】
本発明に係る表示装置は、画像表示に要する液晶部及び該液晶部に対して光を照射する光源と、該光源を駆動する駆動部とを更に備え、前記出力部は、一の画像を表示後、次の画像を表示するまでの間に前記信号を出力するようにしてあり、前記駆動部は、前記出力部から出力される前記信号に基づいて前記光源を駆動するようにしてあることを特徴とする。
【００３２】
本発明では、光源からの照射光を圧縮音声データに基づいて制御することにより、照射光により音声データの伝達を実現することが可能となる。
【００３３】
本発明に係る視聴用装置は、多重化された複数系列の画像データに基づいて複数系列の画像を表示する表示装置に表示された画像の視認に用いる視聴用装置において、前記表示装置に表示された複数系列の画像のうちで、設定されている系列の画像を選択的に透過させる透過部と、前記複数の画像データに夫々対応する複数系列の音声データを夫々圧縮し、画像データとの同期をとる同期データを付加した圧縮音声データの入力を受け付ける入力部と、該入力部から入力された圧縮音声データを伸長して、設定されている系列の音声データを生成する伸長部と、音声データに基づいて、設定されている系列の音声を出力する音声出力部とを備え、前記透過部及び音声出力部は、圧縮音声データに付加されていた同期データに基づいて、設定された系列の画像の透過及び音声の出力をするようにしてあることを特徴とする。
【００３４】
本発明では、複数系列の画像及び音声のうちで、予め設定した系列の画像及び音声を選択的に出力させることが可能である。
【００３５】
本発明に係る視聴用装置は、前記入力部は、前記表示装置が、一の画像を表示後、次の画像を表示するまでの間に、前記画像を表示する表示部から発する可視光を、圧縮音声データの入力として受け付けるようにしてあることを特徴とする。
【００３６】
本発明では、表示装置からの可視光を圧縮音声データとして受け付けることが可能である。
【発明の効果】
【００３７】
本発明では、表示装置が、複数系列の画像の表示及び圧縮音声データの出力を行い、視聴用装置では、設定した系列の画像を選択的に透過させると共に、圧縮音声データとして当該系列の音声を出力する。この構成により、ユーザは、複数系列のうちから設定した系列の画像及び音声を視聴することが可能である等、優れた効果を奏する。しかも、表示装置の大型化等の対策を行うことなく、複数系列の画像及び音声を提供することができるので、システムの大型化及び高額化を防止することが可能である等、優れた効果を奏する。
【００３８】
本発明では、圧縮音声データを赤外線にて出力することにより、専用の視聴用装置を装備しない限り、音声を聴き取ることができないので、ユーザ以外の者が、提供される音声を傍受することを防止することが可能である等、優れた効果を奏する。
【００３９】
本発明では、ＬＥＤバックライトを使用することにより、光源の応答性を高めることができるので、系列間での混信を防止し、高画質な画像を提供することが可能である等、優れた効果を奏する。また、光源の応答性が高まることにより、照射光を圧縮音声データで変調する場合に、一の画像系列に係る照射光の明滅の残光が、他の画像系列に係る照射光に影響を与えることを防止することができるため、伝達する情報量の向上及びエラー率の低下を実現することが可能である等、優れた効果を奏する。
【００４０】
本発明では、光源からの照射光を圧縮音声データに基づく信号にて制御して、照射光にて音声データを伝達することにより、表示装置に新たな通信回路を付加することなく、標準的に備えている機能を用いた音声データの伝達が可能となり、システム全体として低廉化を実現することが可能である等、優れた効果を奏する。
【００４１】
本発明では、画像の表示及び信号出力間に所定期間を設けることにより、透過部の透過開始及び終了時に、表示されている画像に、圧縮音声データにて変調した照射光が混じることを防止することができるので、表示画像の画質を向上させることが可能である等、優れた効果を奏する。
【００４２】
本発明では、画像の系列数に基づいて照射量を決定することにより、例えば、系列数の増加に応じて照射量が高くなるよう決定することができるので、系列数の増加に応じて生じる表示時間の減少による光量の低下を防止し、明るい画像を提供することが可能である等、優れた効果を奏する。
【００４３】
本発明では、音声データを一時記録部に記録しておき、画像に同期して出力することができるので、ユーザは、時差のない画像及び音声を視聴することが可能となる等、優れた効果を奏する。
【００４４】
本発明では、設定した系列の画像及び音声を選択的に出力することができるので、ユーザは、所望する系列の画像及び音声を選択して視聴することが可能である等、優れた効果を奏する。
【図面の簡単な説明】
【００４５】
【図１】本発明の実施の形態１に係る視聴システムの一例を概念的に示す説明図である。
【図２】本発明の実施の形態１に係る表示装置及び視聴用装置の構成例を示すブロック図である。
【図３】本発明の実施の形態１に係る表示装置及び視聴用装置の動作を示すタイミングチャートである。
【図４】本発明の実施の形態２に係る表示装置及び視聴用装置の構成例を示すブロック図である。
【図５】本発明の実施の形態２に係る表示装置及び視聴用装置の動作を示すタイミングチャートである。
【図６】本発明の実施の形態２に係る表示装置のＬＥＤ光源の駆動状態を示すタイミングチャートである。
【発明を実施するための形態】
【００４６】
以下、本発明をその実施の形態を示す図面に基づいて詳述する。
【００４７】
実施の形態１．
図１は、本発明の実施の形態１に係る視聴システムの一例を概念的に示す説明図である。本発明の視聴システムは、液晶ディスプレイ等の表示装置１と、表示装置１に表示する画像の視認に要する視聴用装置２とを備えている。表示装置１は、インフォメーション・ディスプレイ・パネル（ＩＤＰ）として用いられ、画像及び音声を含む複数の系列（チャンネル）の映像コンテンツを同時に提供する。ユーザは、眼鏡一体型ヘッドフォン等の視聴用装置２を装着することにより、提供される映像コンテンツうちで所望する系列の映像コンテンツを視聴することができる。
【００４８】
表示装置１は、画像及び音声を含む複数系列の映像コンテンツをユーザに対して提供する装置である。表示装置１は、多重化された複数系列の画像に基づいて複数系列の画像を時分割で表示する表示部１０と、夫々の系列に対応する音声に基づくデータを赤外線等の電磁波として送信する送信部１１とを備えている。
【００４９】
視聴用装置２は、表示装置１にて提供される映像コンテンツの視聴に要し、ユーザは、視聴用装置２を装着することにより、表示装置１にて提供される複数系列の映像コンテンツのうちで、選択した系列の映像コンテンツを視聴することが可能となる。視聴用装置２は、表示装置１に表示される系列毎の画像に対し、選択的に透過又は遮断を行うシャッター機能を備えた眼鏡部２０と、系列に応じた音声を出力するスピーカを用いた音声出力部２１と、赤外線等の電磁波を受信する受信部２２とを備えている。
【００５０】
図１では、チャンネル００、チャンネル０１、チャンネル１０及びチャンネル１１の４チャンネル（４系列）の映像コンテンツを提供する例を示している。一又は複数のユーザは、４系列のチャンネルのうちから夫々が所望するチャネルの映像コンテンツを同時に視聴することが可能である。図１では、４人のユーザが、夫々異なるチャンネルの映像コンテンツを同時に視聴する例を示している。
【００５１】
図２は、本発明の実施の形態１に係る表示装置１及び視聴用装置２の構成例を示すブロック図である。表示装置１は、前述した画像表示部１０及び送信部１１の他に、画像多重化部１２、音声圧縮部１３、音声多重化部１４、同期部１５及び出力部１６を備えている。また、画像表示部１０は、ＬＥＤ光源１００、光源駆動部１０１、液晶部１０２及び液晶駆動部１０３を有している。
【００５２】
画像多重化部１２は、図示しない画像データ出力部から、複数系列の画像データを受け付け、夫々の画像データに対応する画像が、画像表示部１０に順次表示されるように、画像データを時分割多重する処理を実行する。時分割多重された複数系列の画像データは、画像表示部１０に出力され、画像表示部１０は、入力された画像データに基づいて、複数系列の画像を時分割で順次表示する。画像多重化部１２に画像データを出力する画像出力部とは、有線又は無線にて外部から入力された画像データ、ＤＶＤ等の記録媒体から読み取った画像データ等の画像データを出力する機構である。図２では、４チャンネルの系列の画像データの入力を受け付ける例を示している。なお、夫々の画像データは異なるデータ源の画像データ出力部からの出力であっても良く、また、予め多重化されている状態での出力であっても良い。
【００５３】
音声圧縮部１３は、複数系列の画像データに対応する複数系列の音声データを、図示しない音声データ出力部から受け付け、受け付けた複数系列の音声データを、夫々圧縮して圧縮音声データを生成する。そして、音声圧縮部１３は、生成した圧縮音声データを音声多重化部１４に渡す。音声圧縮部１３に音声データを出力する音声データ出力部とは、有線又は無線にて外部から入力された音声データ、ＤＶＤ等の記録媒体から読み取った音声データ等の音声データを出力する機構である。なお、夫々の音声データは異なるデータ源の音声データ出力部から出力していても良く、また、予め多重化されている状態での出力であっても良い。
【００５４】
音声多重化部１４は、音声圧縮部１３から受け付けた複数系列の圧縮音声データを、時分割多重した画像データに対応させるべく、時分割多重し、時分割多重した圧縮音声データを出力部１６に渡す。
【００５５】
出力部１６は、時分割多重した圧縮音声データを電気信号として送信部１１に出力し、送信部１１では、電気信号として入力された圧縮音声データを赤外線に重畳し、送信部１１から視聴用装置２へ送信する。圧縮音声データの重畳は、例えば赤外線の振幅、周波数、位相等の要素を圧縮音声データの信号に基づいて変調することにより行われる。なお、便宜上、送信部１１及び出力部１６を異なる機構として記載しているが、送信部１１は、出力部１６の一部に含まれる一体の機構であっても良い。
【００５６】
同期部１５は、画像及び音声の同期をとるための同期信号を画像多重化部１２及び音声多重化部１４へ出力する。
【００５７】
画像多重化部１２は、前述したように画像表示部１０に複数系列分の画像データを出力するに際し、同期部１５から同期信号を受け付け、同期信号を受ける都度、受け付けた同期信号に対応する系列の画像データを画像表示部１０に出力する。従って、画像表示部１０では、同期信号のタイミングで異なる系列の画像を表示することになる。
【００５８】
また、音声多重化部１４は、前述したように圧縮音声データを時分割多重するに際し、同期部１５から受け付けた同期信号に基づいて、画像データと同期を取るための同期データを圧縮音声データに付加する。圧縮音声データに付加される同期データは、例えば音声データ列に対するヘッダーとして付加される。このときヘッダーとして付加される同期データは、各系列のデータであることを判別することが可能であれば、データフォーマットは特に限定されるものではない。例えば、４系列（４チャンネル）の圧縮音声データに対しては、最小で２ｂｉｔ（００，０１，１０，１１）の同期データを付加すれば良く、また外乱等の要因によるノイズを考慮するのであれば、更に冗長な符号を付加するようにしても良い。
【００５９】
ＬＥＤ光源１００は、白色ＬＥＤにて構成されるＬＥＤバックライトであり、光源駆動部１０１により駆動される。光源駆動部１０１は、画像多重化部１２から受け付けた画像データに基づいてＬＥＤ光源１００を駆動する。
【００６０】
液晶部１０２は、液晶素子を用いた液晶層を有する液晶パネルであり、液晶駆動部１０３により駆動される。液晶駆動部１０３は、画像多重化部１２から受け付けた画像データに基づいて液晶部１０２を駆動する。
【００６１】
視聴用装置２は、前述した眼鏡部２０及び音声出力部２１の他に、受信部２２、データ選択部２３、データ判別部２４及び伸長部２５を備えている。また、眼鏡部２０は、透過部２００及びシャッター駆動部２０１を有している。さらに、伸長部２５は、バッファメモリとして一時記録部２５０を有している。
【００６２】
受信部２２は、表示装置１の送信部１１から送信される赤外線を受信する機構であり、時分割多重した圧縮音声データを重畳した赤外線の入力を受け付ける。そして、受信部２２は、入力された赤外線から圧縮音声データを分離し、電気信号に変換して、データ判別部２４に渡す。
【００６３】
データ選択部２３は、ユーザから系列（チャンネル）の選択を受け付けるマンマシンインターフェースであり、受け付けた系列を示す系列データをデータ判別部２４に渡す。
【００６４】
データ判別部２４は、データ選択部２３から系列データを受け付け、受け付けた系列データにて示される系列を、選択された系列として設定する。また、データ判別部２４は、受信部２２から、時分割多重された圧縮音声データを電気信号として受け付ける。そして、データ判別部２４は、受け付けた圧縮音声データに付加されている同期データが、設定した系列を示す同期データであるか否かを判別する。
【００６５】
データ判別部２４は、設定された系列を示す同期データであると判別した場合、受け付けた圧縮音声データを伸長部２５へ渡す。伸長部２５では、受け付けた圧縮音声データを伸長して音声データを生成し、生成した音声データを一時記録部２５０に一時的に記録する。そして、伸長部２５では、一時記録部２５０に記録された音声データに基づく音声信号を音声出力部２１に出力することにより、音声データに基づく音声を出力させる。なお、伸長部２５の機能により、圧縮音声データを伸長しながら音声出力部２１に出力することが可能であれば、一時記録部２５０は、必ずしも必要ではない。
【００６６】
また、データ判別部２４は、設定された系列を示す同期データであると判別した場合、眼鏡部２０に同期信号を出力する。眼鏡部２０が有する透過部２００は、シャッター駆動部２０１により駆動させるシャッターを有している。そして、眼鏡部２０は、同期信号に基づいて、シャッター駆動部２０１に透過部２００が有するシャッターを開かせ、画像表示部１０に表示された画像を透過させる。即ち、透過部２００は、表示部１０に表示された複数系列の画像のうちで、設定されている系列の画像を選択的に透過させ、設定されている系列以外の系列の画像を遮断する。
【００６７】
音声出力部２１による音声の出力及び透過部２００による画像の透過は、圧縮音声データに付加されていた同期データに基づいて同期がとられる。従って、ユーザは、設定された系列の音声及び画像を、時間差を感じることなく同時に認識することができる。なお、圧縮音声データの伸長に時間を要するのであれば、圧縮音声データの送信時期及び一時記録部２５０への記録時間を調整することで音声及び画像の同期をとるようにしてもよい。また、出力される音声については、必要に応じて音量の増幅が行われる。
【００６８】
なお、データ判別部２４が、設定された系列を示す同期データではないと判別した場合、設定されている系列以外の系列についての圧縮音声データに基づく音声の出力は行われない。また、同期信号に基づく画像の透過等の処理は実行されないため、透過部２００はシャッターを閉じたままとなり、設定されている系列以外の系列についての画像は遮断される。
【００６９】
次に、このようにして構成された本発明の実施の形態１に係る表示装置１及び視聴用装置２の動作について説明する。図３は、本発明の実施の形態１に係る表示装置１及び視聴用装置２の動作を示すタイミングチャートである。図３は、表示装置１の画像表示部１０に表示される画像、ＬＥＤ光源１００の駆動状態、並びに出力部１６から出力される同期データ及び圧縮音声データを含む信号と、４台の視聴用装置２の夫々の透過部２００の透過状況との時系列変化を示している。図３では、チャンネル００、チャンネル０１、チャンネル１０及びチャンネル１１の４チャンネル（４系列）の映像コンテンツを提供する例を示しており、４台の視聴用装置２は、夫々のチャンネルに関する映像コンテンツを視聴するように設定されている。以降の説明において、チャンネル００、チャンネル０１、チャンネル１０及びチャンネル１１の視聴に用いる夫々の視聴用装置２を、必要に応じて４台の視聴用装置２ａ，２ｂ，２ｃ，２ｄとして示すものとする。
【００７０】
一番上のチャートは、表示装置１が備える画像表示部１０に表示された画像。即ち、液晶部１０２に示された画像である。図３に示すように液晶部１０２には、チャンネル００の画像が表示され、その後、チャンネル０１の画像により上書きされる。更に、チャンネル０１の画像を２度書きすることにより、チャンネル０１の画像が表示されることになる。そして、チャンネル１０の画像により上書きされ、更に、チャンネル１０の画像により２度書きされることで、チャンネル１０の画像が表示される。表示装置１は、このような処理を、チャンネル００、チャンネル０１、チャンネル１０、チャンネル１１の順に繰り返し実行することにより、各チャンネルの画像データに夫々対応する画像を画像表示部１０に順次表示する。
【００７１】
上から２番目のチャートは、表示装置１が備えるＬＥＤ光源１００の駆動状態を示している。ＬＥＤ光源１００は、チャンネル００〜１１のいずれかの画像が表示されている時に、オン状態として点灯し、画像上書き中に、オフ状態として消灯する。
【００７２】
上から３番目のチャートは、表示装置１が備える出力部１６から出力される信号を示している。出力部１６からは、図３に示すように、右上から左下への斜線で示す同期データ及び左上から右下への斜線で示す圧縮音声データが、各チャンネルの画像表示に対応するタイミングで間欠的に順次出力される。図３に示すように、同期データは、圧縮音声データのヘッダーとして出力されている。
【００７３】
下方４つのチャートは、各視聴用装置２が夫々備える透過部２００の透過状況を、視聴用装置２ａ，２ｂ，２ｃ，２ｄの順に示している。なお、便宜上、透過部２００を透過して視認可能な画像を「００」、「０１」、「１０」及び「１１」としてチャートに記載している。視聴用装置２ａは、チャンネル００が設定されており、チャンネル００の画像データが表示装置１に表示されている期間のみ、透過部２００は、シャッターを開くため、チャンネル００の画像を選択的に透過させる。また、チャンネル００の圧縮音声データに基づく音声を音声出力部２１から出力する。視聴用装置２ｂ，２ｃ，２ｄについても同様であり、夫々設定されているチャンネル０１，１０，１１の画像データが表示装置１に表示されている時間のみ、透過部２００のシャッターが開き、当該チャンネルの画像を選択的に透過させる。
【００７４】
なお、図３のタイムチャートから明らかなように、例えば、チャンネル００の映像コンテンツを視聴するユーザは、チャンネル００の画像が表示されている間に、次のチャンネル００の画像が表示されるまでの期間分の音声データを取得する必要がある。よって、各チャンネルの圧縮音声データは、図３の例では、音声の出力時間の約１／８の時間で伝送可能な情報量にまで圧縮しなければならない。
【００７５】
また、図３のタイムチャートでは、表示装置１が備えるＬＥＤ光源１００の駆動状態を、オン／オフのみとしているが、これはチャンネル数が一定の場合を示したものである。実装時においては、単なるオン／オフの切り替えだけでなく、出力される映像コンテンツのチャンネル数に応じてオン時の照射量が決定される。具体的には、系列数の増加に応じて照射量が高くなるように決定し、このようにすることで、系列数の増加に応じて生じる表示時間の減少による光量の低下を防止し、明るい画像を提供することが可能となる。
【００７６】
以上のように本願の実施の形態１に係る視聴システムでは、多重化された複数系列の画像データに基づいて複数系列の画像を一の表示装置１にて表示し、ユーザは、視聴用装置２を装備することにより、設定された系列の画像を視認することができる。そして、赤外線等の電磁波にて圧縮音声データを出力することにより、各系列の画像に同期して、夫々の音声を聴くことができる。
【００７７】
前記実施の形態１では、データ選択部２３により、ユーザから系列の選択を受け付けて設定する形態を示したが、本発明はこれに限らず、系列の設定を固定するようにしてもよい。即ち、特定の系列の映像コンテンツについては、特定の表示装置１を用いた場合のみ視聴可能となるように設定することで、情報の漏洩を防止し、秘匿効果を高めることが可能である。また、圧縮音声データを赤外線に重畳していることについても、専用の装置がなければ、赤外線を受信し、圧縮音声データを分離することができないため、秘匿効果を高める要因となり得る。
【００７８】
実施の形態２．
実施の形態２は、実施の形態１において、圧縮音声データをＬＥＤ光源１００からの照射光に重畳することにより、赤外線等の電磁波を送信する送信部を不要とする形態である。なお、以降の説明において、実施の形態１と同様の構成及び処理については、実施の形態１を参照するものとし、その説明を省略する。なお、実施の形態１と同様の構成については、実施の形態１と同様の符号を付している。
【００７９】
図４は、本発明の実施の形態２に係る表示装置１及び視聴用装置２の構成例を示すブロック図である。表示装置１は、画像表示部１０、画像多重化部１２、音声圧縮部１３、同期部１５及び出力部１６を備えている。また、画像表示部１０は、ＬＥＤ光源１００、光源駆動部１０１、液晶部１０２及び液晶駆動部１０３を有している。なお、実施の形態２では、実施の形態１と異なり、送信部１１及び音声多重化部１４は必ずしも必要ではない。
【００８０】
音声圧縮部１３は、受け付けた複数系列の音声データを圧縮する。そして、同期部１５から入力される同期信号に基づいて、当該同期信号に対応する系列の圧縮音声データに同期データを付加し、出力部１６に出力する。出力部１６は、圧縮音声データを光源駆動部１０１を駆動する駆動信号として画像表示部１０に出力する。画像表示部１０に出力される駆動信号は、液晶部１０２に、一の画像を表示した後、次の画像を表示するまでの間の更新期間に、圧縮音声データが後述する可視光にて出力されるように、出力される。なお、音声圧縮部１３から画像表示部１０へ圧縮音声データを出力するのではなく、実施の形態１にて示した音声多重化部１４を設け、音声多重化部１４にて多重化した上で、同期信号に基づき画像表示部１０へ圧縮音声データを出力するようにしてもよい。
【００８１】
同期部１５は、画像及び音声の同期をとるための同期信号を画像多重化部１２及び音声圧縮部１３へ出力する。
【００８２】
画像多重化部は、同期部１５から入力される同期信号に基づいて、画像データを画像表示部１０に出力する。
【００８３】
画像表示部１０では、出力部１６から駆動信号として入力された圧縮音声データを光源駆動部１０１に出力し、また、画像多重化部から受け付けた画像データを液晶駆動部１０３に入力する。
【００８４】
光源駆動部１０１は、駆動信号に基づいてＬＥＤ光源１００を駆動するようにしてあり、駆動信号として入力された圧縮音声データ及び付加された同期データに基づいてＬＥＤ光源１００を駆動する。具体的には、液晶部１０２に画像が表示されている期間は、ＬＥＤ光源をオン状態とし、かつ、液晶部１０２が画像を切り替える期間、ＬＥＤ光源１００を圧縮音声データに基づいて明滅させる。即ち、ＬＥＤ光源１００の照射状態、例えばオン／オフ、照射量の調整等により、可視光にて同期データが付加された圧縮音声データを出力する。なお、便宜上、音声圧縮部１３、出力部１６及び光源駆動部１０１を異なる機構として記載しているが、音声圧縮部１３及び出力部１６を一体の構成としても良く、また、出力部１６を画像表示部１０の内部に組み込み音声圧縮部１３とのインターフェースとして構成しても良い。
【００８５】
液晶駆動部１０３は、入力された画像データに基づいて液晶部１０２を駆動する。
【００８６】
視聴用装置２は、眼鏡部２０、音声出力部２１、受信部２２、データ選択部２３、データ判別部２４、伸長部２５及びクロック再生部２６を備えている。また、眼鏡部２０は、透過部２００及びシャッター駆動部２０１を有している。さらに、伸長部２５は、バッファメモリとして一時記録部２５０を有している。
【００８７】
受信部２２は、表示装置１の画像表示部１０から発せられる可視光を受光する機構であり、ＬＥＤ光源１００の照射光の明滅を、圧縮音声データの入力として受け付ける。そして、受信部２２は、受光した可視光から圧縮音声データを分離し、電気信号に変換して、データ判別部２４に渡す。
【００８８】
データ判別部２４は、受信部２２から圧縮音声データを受け付け、受け付けた圧縮音声データに付加されている同期データが、データ選択部２３からの系列データに基づいて設定した系列を示す同期データであるか否かを判別する。
【００８９】
データ判別部２４は、設定された系列を示す同期データであると判別した場合、受け付けた圧縮音声データをクロック再生部２６へ渡す。
【００９０】
クロック再生部２６は、ＰＬＬ(Phase Locked Loop )回路としての機能を有する機構である。クロック再生部２６では、データ判別部２４から受け付けた圧縮音声データに付加されている同期データに基づいてクロックを再生し、再生したクロックに基づいて、同期信号を眼鏡部２０に出力する。また、クロック再生部２６では、圧縮音声データを伸長部２５へ渡し、かつ、再生したクロックに基づく同期信号を伸長部２５に出力する。
【００９１】
伸長部２５では、受け付けた圧縮音声データを伸長して音声データを生成し、生成した音声データを一時記録部２５０に一時的に記録する。そして、伸長部２５では、クロック生成部２６から入力される同期信号に基づいて、一時記録部２５０に記録された音声データに基づく音声信号を音声出力部２１に出力することにより、音声データに基づく音声を出力させる。また、眼鏡部２０は、同期信号に基づいて、シャッター駆動部２０１に透過部２００が有するシャッターを開かせ、画像表示部１０に表示された画像を透過させる。
【００９２】
音声出力部２１による音声の出力及び透過部２００による画像の透過は、クロック再生部２６の処理により同期がとられる。従って、ユーザは、設定された系列の音声及び画像を、時間差を感じることなく同時に認識することができる。また、出力される音声については、必要に応じて音量の増幅が行われる。
【００９３】
なお、データ判別部２４が、設定された系列を示す同期データではないと判別した場合、前述の処理は実行されず、設定された系列以外の系列についての画像の透過及び音声の出力は行われない。
【００９４】
次に、このようにして構成された本発明の実施の形態２に係る表示装置１及び視聴用装置２の動作について説明する。図５は、本発明の実施の形態２に係る表示装置１及び視聴用装置２の動作を示すタイミングチャートである。図５は、表示装置１の画像表示部１０に表示される画像及びＬＥＤ光源１００の駆動状態、並びに４台の視聴用装置２の夫々の透過部２００の透過状況との時系列変化を示している。なお、図５において、ＬＥＤ光源１００の駆動状態以外のチャートについては、図３を用いて説明した実施の形態１と同様であるので、実施の形態１を参照するものとし、その説明を省略する。また、実施の形態２では、同期データ及び圧縮音声データを含む信号の出力は必要ではないため、当該データについてのチャートは記載していない。
【００９５】
上から２番目のチャートが、表示装置１が備えるＬＥＤ光源１００の駆動状態を示している。ＬＥＤ光源１００は、チャンネル００〜１１のいずれかの画像が表示されている時には、オン状態として点灯している。また、ＬＥＤ光源１００は、画像上書き中であっても、圧縮音声データに基づいて駆動されている。図５では、画像上書き中の駆動状態を、同期データに基づく駆動状態については右上から左下への斜線で示し、圧縮音声データに基づく駆動状態については左上から右下への斜線で示している。図５に示すように、同期データは、圧縮音声データのヘッダーとして出力されている。
【００９６】
図５に示すように、一の画像の表示を終了してから所定期間経過後、ＬＥＤ光源１００が同期データを付加された圧縮音声データに基づく駆動を開始するようにしてある。そして、同期データを付加された圧縮音声データに基づく駆動を終了してから所定期間経過後、他の画像の表示を開始するようにしてある。このように、圧縮音声データに基づく駆動と画像の表示との間には、所定期間としてガード時間が設けられているため、ユーザが視認する画像に圧縮音声データに基づいて制御された照射光が混じることを防止する。これにより、表示画像の画質を向上させることが可能である。
【００９７】
図６は、本発明の実施の形態２に係る表示装置１のＬＥＤ光源１００の駆動状態を示すタイミングチャートである。図６では、同期データを付加された圧縮音声データに基づいてＬＥＤ光源１００を駆動する期間におけるタイムスロット及びＬＥＤ光源１００の駆動状態を時系列で示している。
【００９８】
上側のチャートがタイムスロットを示し、下側の実線で示すチャートがＬＥＤ光源１００の駆動状態を示している。なお、期間Ａは、同期データに基づいてＬＥＤ光源１００を駆動している期間であり、期間Ｂは、圧縮音声データに基づいてＬＥＤ光源１００を駆動している期間である。図６に示すように、タイムスロットのオン／オフに対し、同期データ及び圧縮音声データの「１」又は「０」の値に基づいて、ＬＥＤ光源１００を駆動している。このようにして、ＬＥＤ光源１００からの照射光を、圧縮音声データ等にて変調し、照射光に圧縮音声データを重畳する。
【００９９】
なお、ＬＥＤ光源１００を駆動する信号については、ＤＣ駆動であってもＡＣ駆動であっても良い。ＬＥＤ光源１００を駆動する際、ＤＣ駆動の場合は、電圧レベル又は電流レベルをアナログ的に制御する必要がある。また、ＡＣ駆動の場合は、パルス列のデューティー比を制御する必要がある。
【０１００】
なお、実施の形態２では、実施の形態１と比べて、圧縮音声データの出力時間を短期間にせざるを得ない設計となり得る。よって、その期間に応じて圧縮音声データの圧縮方式及び圧縮率を調整する必要がある。
【０１０１】
また、実施の形態１でも述べたように、ＬＥＤ光源１００の系列数の増加に応じて照射量を高くすることにより、系列数の増加に応じて生じる表示時間の減少による光量の低下を防止し、明るい画像を提供することが可能となる。また、圧縮音声データに基づくＬＥＤ光源１００の駆動については、オン／オフ、照射量の調整等により、２値化した圧縮音声データを出力するだけでなく、３段階以上の照射量を設定し、情報量を増加させることも可能である。
【０１０２】
以上のように本願の実施の形態２に係る視聴システムでは、多重化された複数系列の画像データに基づいて複数系列の画像を一の表示装置１にて表示し、ユーザは、視聴用装置２を装備することにより、設定された系列の画像を視認することができる。そして、ＬＥＤ光源からの照射光を圧縮音声データにて変調することにより、各系列の画像に同期して、夫々の音声を聴くことができる。
【０１０３】
前記実施の形態１及び２は、本願の無数にある実施例の一部を例示したに過ぎず、各種ハードウェア及びソフトウェア等の構成は、目的、用途等に応じて適宜設計することが可能である。例えば、実施の形態１において、赤外線以外の波長の電磁波を用いても良い。また、実施の形態２において、ＬＥＤ光源からの照射光が液晶部を透過しない箇所を設けるようにしてもよい。更に異なる用途としては、左眼用の画像及び右眼用の画像と音声とを含む複数組の立体視可能な映像コンテンツの提供に適用しても良く、日本語及び英語等の複数の言語で提供可能な映像コンテンツの提供に適用しても良い。即ち、本発明は、異なる複数の系列の画像及び音声を同期して提供する様々なシステムに適用することが可能である。
【符号の説明】
【０１０４】
１  表示装置
１０  画像表示部
１００  ＬＥＤ光源
１０１  光源駆動部
１０２  液晶部
１０３  液晶駆動部
１１  送信部
１２  画像多重化部
１３  音声圧縮部
１４  音声多重化部
１５  同期部
１６  出力部
２  視聴用装置
２０  眼鏡部
２００  透過部
２０１  シャッター駆動部
２１  音声出力部
２２  受信部
２３  データ選択部
２４  データ判別部
２５  伸長部
２５０  一時記録部
２６  クロック再生部
【図１】
2012119776.tif 000003
【図２】
2012119776.tif 000004
【図３】
2012119776.tif 000005
【図４】
2012119776.tif 000006
【図５】
2012119776.tif 000007
【図６】
2012119776.tif 000008